(57)【要約】【課題】装置本体及び表示部の電池の充電サイクルの差を小さくすることで、電池の寿命に悪影響を及ぼすことなく、充電回数を少なくして使用できない時間を削減することができる撮像装置を提供する。【解決手段】撮像装置は、装置本体５０側と表示部６０側とでそれぞれ駆動可能時間を算出する手段３５，３７と、その差ΔＴが一定値以上の場合は消費電力が少なくなる動作モードを選択してΔＴが０になるように制御する残量制御部３９とを備える。【選択図】図１
2010226237.tif 000002
【特許請求の範囲】
【請求項１】
被写体像を電気信号に変換する撮像素子を有する装置本体と、該装置本体に対して着脱自在に装着される表示部とを備え、
前記装置本体及び前記表示部にそれぞれ電池が設けられるとともに、前記装置本体に前記表示部が装着された状態、及び前記装置本体から表示部が離脱した状態で、前記装置本体と前記表示部との間で通信が可能な撮像装置であって、
前記装置本体の電池の残量を検知する本体残量検知部と、
前記装置本体の消費電力の情報を記録する本体記録部と、
前記本体残量検知部で検知された前記装置本体の電池残量と前記本体記録部から読み出した消費電力の情報とから前記装置本体の駆動可能時間Ｔ１を算出する本体駆動時間算出部と、
前記表示部の電池の残量を検知する表示部残量検知部と、
前記表示部の消費電力の情報を記録する表示部記録部と、
前記表示部残量検知部で検知された前記表示部の電池残量と前記表示部記録部から読み出した消費電力の情報とから前記表示部の駆動可能時間Ｔ２を算出する表示部駆動時間算出部と、
前記本体駆動時間算出部が算出した本体駆動可能時間Ｔ１と前記表示部駆動時間算出部が算出した表示部駆動可能時間Ｔ２との差ΔＴの絶対値｜ΔＴ｜があらかじめ定められた閾値Ｔｔｈ以上か否かを判断する比較部と、
該比較部により前記絶対値｜ΔＴ｜が前記閾値Ｔｔｈ以上であると判断された場合に、前記差ΔＴが０になるように、前記装置本体の消費電力及び前記表示部の消費電力を変更制御する残量制御部と、
を備えることを特徴とする撮像装置。
【請求項２】
前記装置本体から前記表示部が離脱されたか否かを検出する離脱検出手段と、
該離脱検出手段により前記装置本体から前記表示部が離脱されたことが検出された場合に、前記表示部の駆動可能時間Ｔ２を短縮するように補正する補正部と、
を備えることを特徴とする請求項１に記載の撮像装置。
【請求項３】
前記表示部残量検知部で検知された前記表示部の電池残量に応じた電圧値があらかじめ定められたシャットダウン閾値Ｖｔｈ２未満となった場合に、前記表示部の電源のシャットダウン処理を行う表示部シャットダウン判定部を備え、
前記補正部は、前記シャットダウンしきい値をあらかじめ定められた補正電圧値ΔＶだけ増加させることで、前記表示部の駆動可能時間Ｔ２を短縮する補正を行う、
ことを特徴とする請求項２に記載の撮像装置。
【請求項４】
前記残量制御部は、前記装置本体を制御する本体制御部における駆動クロック信号の周波数の上限を変更するように制御する、
ことを特徴とする請求項１〜３のいずれか一項に記載の撮像装置。
【請求項５】
前記残量制御部は、前記撮像素子の駆動クロック信号の周波数の上限を変更するように制御する、
ことを特徴とする請求項１〜４のいずれか一項に記載の撮像装置。
【請求項６】
前記残量制御部は、前記表示部に配置された表示パネルの発光デバイスの輝度を変更するように制御する、
ことを特徴とする請求項１〜５のいずれか一項に記載の撮像装置。
【請求項７】
前記残量制御部は、前記表示部を制御する表示部制御部における駆動クロック信号の周波数の上限を変更するように制御する、
ことを特徴とする請求項１〜６のいずれか一項に記載の撮像装置。
【請求項８】
被写体像を電気信号に変換する撮像素子を有する装置本体と、該装置本体に対して着脱自在に装着される表示部とを備え、
前記装置本体及び前記表示部にそれぞれ電池が設けられるとともに、前記装置本体に前記表示部が装着された状態、及び前記装置本体から表示部が離脱した状態で、前記装置本体と前記表示部との間で通信が可能な撮像装置の制御方法であって、
前記装置本体の電池の残量を検知する本体残量検知ステップと、
前記装置本体の消費電力の情報を記録する本体記録ステップと、
前記本体残量検知ステップで検知された前記装置本体の電池残量と前記本体記録ステップで記録した消費電力の情報とから前記装置本体の駆動可能時間Ｔ１を算出する本体駆動時間算出ステップと、
前記表示部の電池の残量を検知する表示部残量検知ステップと、
前記表示部の消費電力の情報を記録する表示部記録ステップと、
前記表示部残量検知ステップで検知された前記表示部の電池残量と前記表示部記録ステップで記録した消費電力の情報とから前記表示部の駆動可能時間Ｔ２を算出する表示部駆動時間算出ステップと、
前記本体駆動時間算出ステップで算出した本体駆動可能時間Ｔ１と前記表示部駆動時間算出ステップで算出した表示部駆動可能時間Ｔ２との差ΔＴの絶対値｜ΔＴ｜があらかじめ定められた閾値Ｔｔｈ以上か否かを判断する比較ステップと、
該比較ステップで前記絶対値｜ΔＴ｜が前記閾値Ｔｔｈ以上であると判断された場合に、前記差ΔＴが０になるように、前記装置本体の消費電力及び前記表示部の消費電力を変更制御する残量制御ステップと、
を備えることを特徴とする撮像装置の制御方法。
【発明の詳細な説明】
【技術分野】
【０００１】
本発明は、装置本体と、該装置本体に対して着脱自在に装着される表示部とを備える撮像装置及び撮像装置の制御方法に関する。
【背景技術】
【０００２】
従来のこの種の撮像装置では、装置本体及び表示部にそれぞれ電源としての電池が設けられ、電源のシャットダウン処理についても装置本体及び表示部で独立して行われる。
【０００３】
具体的には、装置本体には、装置本体の電池の残量を検知する本体残量検知部が設けられ、本体残量検知部で検知された残量が第１閾値以下となると、装置本体の電池の残量低下の警告等をユーザに対して行う。また、本体残量検知部で検知された残量が第２閾値以下となると、装置本体の電池の充電を促す表示等を行うとともに、装置本体の電源のシャットダウン処理を行う。
【０００４】
表示部についても、同様に、表示部の電池の残量を検知する表示部残量検知部が設けられ、表示部残量検知部で検知された残量が第１閾値以下となると、表示部の電池の残量低下の警告等をユーザに対して行う。また、表示部残量検知部で検知された残量が第２閾値以下となると、表示部の電池の充電を促す表示等を行うとともに、表示部の電源のシャットダウン処理を行う。
【０００５】
また、装置本体に表示部が装着されている場合の第１閾値及び第２閾値は、装置本体から表示部が離脱している場合の第１閾値及び第２閾値と同じ値とされる。
【０００６】
なお、装置本体の電池の残量がなくなった場合でも、表示部の電池が残っていれば、再生モードでの起動・動作は可能である。また、表示部の電池の残量がなくなった場合でも、装置本体の電池が残っていれば、撮影モードでの起動は可能であり、光学ファインダ等を介して被写体を撮影することができる。
【０００７】
一方、親機と子機とを有するコードレス電話装置において、親機側で子機の電池の残量を確認したり、或いはいずれかの子機側で他の子機の電池の残量を確認したり、他機の電池の残量を確認する技術が提案されている（特許文献１）。
【先行技術文献】
【特許文献】
【０００８】
【特許文献１】特開平６−６３０５号公報
【発明の概要】
【発明が解決しようとする課題】
【０００９】
ところで、上記従来の撮像装置では、装置本体の電池と表示部の電池とが独立して電力消費されるため、通常、装置本体の電池の残量がなくなるタイミングと表示部の電池の残量がなくなるタイミングとが大きく異なる。
【００１０】
ここで、上記特許文献１の技術を上記従来の撮像装置に適用すれば、装置本体側で表示部の電池の残量がなくなったことを確認して、表示部の電池を充電することができる。また、表示部側で装置本体の電池の残量がなくなったことを確認して、装置本体の電池を充電することができる。
【００１１】
しかし、上記従来の撮像装置及び上記特許文献１の技術を採用した従来の撮像装置のいずれの場合も、装置本体及び表示部での電池の充電の回数が多くなるため、撮像装置を使用できない時間が増えることになり、使い勝手が悪い。
【００１２】
この場合、装置本体及び表示部の一方の電池の残量がなくなった際に、他方の電池の残量が十分であっても、両方とも満充電することが考えられる。
【００１３】
しかし、残量が十分ある電池に対して充電を行うと、残量がなくなった電池に比べて充放電サイクルの回数（一定時間あたりの充放電回数）が多くなり、電池の寿命に悪影響を及ぼすという新たな問題が発生する。
【００１４】
そこで、本発明は、装置本体及び表示部の電池の充電サイクルの差を小さくすることで、電池の寿命に悪影響を及ぼすことなく、充電回数を少なくして使用できない時間を削減することができる撮像装置及び撮像装置の制御方法を提供することを目的とする。
【課題を解決するための手段】
【００１５】
上記目的を達成するために、本発明の撮像装置は、被写体像を電気信号に変換する撮像素子を有する装置本体と、該装置本体に対して着脱自在に装着される表示部とを備え、前記装置本体及び前記表示部にそれぞれ電池が設けられるとともに、前記装置本体に前記表示部が装着された状態、及び前記装置本体から表示部が離脱した状態で、前記装置本体と前記表示部との間で通信が可能な撮像装置であって、前記装置本体の電池の残量を検知する本体残量検知部と、前記装置本体の消費電力の情報を記録する本体記録部と、前記本体残量検知部で検知された前記装置本体の電池残量と前記本体記録部から読み出した消費電力の情報とから前記装置本体の駆動可能時間Ｔ１を算出する本体駆動時間算出部と、前記表示部の電池の残量を検知する表示部残量検知部と、前記表示部の消費電力の情報を記録する表示部記録部と、前記表示部残量検知部で検知された前記表示部の電池残量と前記表示部記録部から読み出した消費電力の情報とから前記表示部の駆動可能時間Ｔ２を算出する表示部駆動時間算出部と、前記本体駆動時間算出部が算出した本体駆動可能時間Ｔ１と前記表示部駆動時間算出部が算出した表示部駆動可能時間Ｔ２との差ΔＴの絶対値｜ΔＴ｜があらかじめ定められた閾値Ｔｔｈ以上か否かを判断する比較部と、該比較部により絶対値｜ΔＴ｜が前記閾値Ｔｔｈ以上であると判断された場合に、前記差ΔＴが０になるように、前記装置本体の消費電力及び前記表示部の消費電力を変更制御する残量制御部と、を備えることを特徴とする。
【００１６】
本発明の撮像装置の制御方法は、被写体像を電気信号に変換する撮像素子を有する装置本体と、該装置本体に対して着脱自在に装着される表示部とを備え、前記装置本体及び前記表示部にそれぞれ電池が設けられるとともに、前記装置本体に前記表示部が装着された状態、及び前記装置本体から表示部が離脱した状態で、前記装置本体と前記表示部との間で通信が可能な撮像装置の制御方法であって、前記装置本体の電池の残量を検知する本体残量検知ステップと、前記装置本体の消費電力の情報を記録する本体記録ステップと、前記本体残量検知ステップで検知された前記装置本体の電池残量と前記本体記録ステップで記録した消費電力の情報とから前記装置本体の駆動可能時間Ｔ１を算出する本体駆動時間算出ステップと、前記表示部の電池の残量を検知する表示部残量検知ステップと、前記表示部の消費電力の情報を記録する表示部記録ステップと、前記表示部残量検知ステップで検知された前記表示部の電池残量と前記表示部記録ステップで記録した消費電力の情報とから前記表示部の駆動可能時間Ｔ２を算出する表示部駆動時間算出ステップと、前記本体駆動時間算出ステップで算出した本体駆動可能時間Ｔ１と前記表示部駆動時間算出ステップで算出した表示部駆動可能時間Ｔ２との差ΔＴの絶対値｜ΔＴ｜があらかじめ定められた閾値Ｔｔｈ以上か否かを判断する比較ステップと、該比較ステップで前記絶対値｜ΔＴ｜が前記閾値Ｔｔｈ以上であると判断された場合に、前記差ΔＴが０になるように、前記装置本体の消費電力及び前記表示部の消費電力を変更制御する残量制御ステップと、を備えることを特徴とする。
【発明の効果】
【００１７】
本発明によれば、装置本体及び表示部の電池の充電サイクルの差を小さくすることができるので、電池の寿命に悪影響を及ぼすことなく、充電回数を少なくして撮像装置を使用できない時間を削減することができる。
【図面の簡単な説明】
【００１８】
【図１】本発明の第１の実施形態である撮像装置を説明するためのブロック図である。
【図２】図１に示す撮像装置の装置本体から表示部が離脱した状態を示すブロック図である。
【図３】撮像装置の表示部の動作例を説明するめのフローチャート図である。
【図４】撮像装置の装置本体の動作例を説明するためのフローチャート図である。
【図５】装置本体の節電／高性能動作及び表示部の節電／高性能動作の一例を説明するための図である。
【図６】本発明の第２の実施形態である撮像装置を説明するためのブロック図である。
【図７】図６に示す撮像装置の装置本体から表示部が離脱した状態を示すブロック図である。
【図８】撮像装置の表示部の動作例を説明するめのフローチャート図である。
【図９】撮像装置の装置本体の動作例を説明するためのフローチャート図である。
【発明を実施するための形態】
【００１９】
以下、本発明の実施形態を図面を参照して説明する。
【００２０】
（第１の実施形態）
図１は本発明の第１の実施形態である撮像装置を説明するためのブロック図、図２は図１に示す撮像装置の装置本体から表示部が離脱した状態を示すブロック図である。
【００２１】
図１及び図２に示すように、本実施形態の撮像装置は、装置本体５０と、該装置本体５０に対して着脱自在に装着される表示部６０とを備える。
【００２２】
装置本体５０は、光学系１、メカ制御部２、撮像素子３、撮像制御部４、本体ＣＰＵ５、発光部６、本体電源部７、本体バッテリ（電池）８、本体残量検知部９、本体シャットダウン閾値保持部１０、本体シャットダウン判定部１１、及び本体ＬＥＤ１２を備える。
【００２３】
また、装置本体５０は、離脱検出手段１４、本体操作部１５、光学ファインダ１６、本体記録部３４、本体駆動時間算出部３５、駆動時間比較部３８、残量制御部３９、及び本体ＣＬＫ（クロック信号）上限変更部４０を備える。
【００２４】
光学系１は、メカ制御部２により、例えば、フォーカス・ズームなどの駆動が制御される。撮像素子３は、例えばＣＣＤ等により構成され、光学系１を通して入射した被写体像を電気信号に変換する。撮像制御部４は、撮像素子３の駆動信号の生成処理、駆動モードの変更処理、撮像素子３からのアナログ出力データのＡ／Ｄ変換処理、相関二重サンプリング処理等を行う。
【００２５】
本体ＣＰＵ（本体制御部）５は、撮像制御部４から出力された画像データに対して各種補正・圧縮等の画像処理を行う。発光部６は、暗所での光量補助のための光を発光する。本体電源部７および本体バッテリ８は、装置本体５０の各種デバイスの駆動に必要な電源を生成する。
【００２６】
本体残量検知部９は、本体バッテリ８の残量を検知する。本体シャットダウン閾値保持部１０は、装置本体５０のシャットダウン閾値を記録して保持する。本体シャットダウン判定部１１は、本体残量検知部９で検知した残量と本体シャットダウン閾値保持部１０に保持されたシャットダウン閾値とを比較して警告や装置本体５０のシャットダウン処理を行うかどうかを判定する。本体ＬＥＤ１２は、ユーザへの通知・警告用の光を発光する。
【００２７】
離脱検出手段１４は、装置本体５０に対して、表示部６０が装着されているか、離脱しているかを検出する。離脱検出手段１４により、装置本体５０に表示部６０が装着されていることが検出されると、装置本体５０及び表示部６０は、互いに嵌合部３３で嵌合された状態で制御線を介しての有線接続によるデータの送受信が可能となる（図１）。
【００２８】
一方、離脱検出手段１４により、装置本体５０から表示部６０が離脱したことが検出されると、装置本体５０及び表示部６０は、互いに非接触通信ドライバ１３を介して無線接続によるデータの送受信が可能となる（図２）。
【００２９】
なお、撮像装置の操作は、基本的には表示部６０で行うが、装置本体５０から表示部６０が離脱している状態でも装置本体５０側で撮影が行えるように、本体操作部１５には、電源ボタン、ズームレバー、レリーズボタンなどが配置されている。
【００３０】
本体記録部３４は、装置本体５０側の各モードや各入力電圧における消費電流値を記録する。本体駆動時間算出部３５は、本体残量検知部９で算出した本体バッテリ８の電池残量、本体記録部３４から読み出した現在の入力電圧や動作モードにおける消費電流値から装置本体５０の駆動可能時間を算出する。
【００３１】
駆動時間比較部３８は、本体駆動時間算出部３５及び後述する表示部駆動時間算出部３７からそれぞれ本体駆動可能時間Ｔ１及び表示部駆動可能時間Ｔ２を取り込み、これらの差ΔＴ＝Ｔ１−Ｔ２を算出する。
【００３２】
残量制御部３９は、ΔＴの絶対値が予め定められた閾値Ｔｔｈ以上の場合に、ΔＴが０になるように、装置本体５０及び表示部６０のそれぞれの動作を変更制御する。本体ＣＬＫ上限変更部４０は、装置本体５０の消費電力を変更する。
【００３３】
なお、本実施形態では、駆動時間比較部３８及び残量制御部３９を装置本体５０側に配置しているが、表示部６０側に配置してもよい。
【００３４】
一方、表示部６０は、記録部１７、スピーカ１８、マイク１９、ＡＶ処理部２０、液晶パネル２１、バックライト２２、調光部２３、液晶駆動部２４、表示部操作部２５、表示部ＬＥＤ２６、及び表示部ＣＰＵ２７を備える。
【００３５】
また、表示部６０は、表示部電源部２８、表示部バッテリ（電池）２９、表示部残量検知部３０、表示部シャットダウン閾値保持部３１、表示部シャットダウン判定部３２、表示部記録部３６、表示部駆動時間算出部３７、及び表示部ＣＬＫ上限変更部４１を備える。
【００３６】
記録部１７は、例えば、撮影データの記録を行う。ＡＶ処理部２０は、音声・ビデオ再生データの生成やスピーカ１８の制御、マイク１９からの入力データ処理などを行う。液晶パネル２１は、各種情報や撮影画像を表示する。バックライト２２は、液晶パネル２１の発光デバイスとして機能する。
【００３７】
調光部２３は、バックライト２２の輝度を変更するとともに、表示部６０の消費電力を変更する手段として機能する。液晶駆動部２４は、液晶パネル２１の駆動データを生成する。表示部操作部２５には、ユーザからの操作を検出する再生ボタン、モードダイアル、方向ボタン、ズームレバー、レリーズボタン、表示切換えボタン、メニュー呼出しボタンなどが配置される。表示部ＬＥＤ２６は、ユーザへの通知・警告用の光を発光する。
【００３８】
表示部ＣＰＵ（表示部制御部）２７は、非接触通信ドライバ１３を介して受信したデータ処理やＡＶ処理部２０の制御などを行う。表示部電源部２８および表示部バッテリ２９は、表示部６０の各種デバイスの駆動に必要な電源を生成する。
【００３９】
表示部残量検知部３０は、表示部バッテリ２９の残量を検知する。表示部シャットダウン閾値保持部３１は、表示部６０のシャットダウン閾値を記録して保持する。表示部シャットダウン判定部３２は、表示部残量検知部３０で算出した残量と表示部シャットダウン閾値保持部３１に保持されたシャットダウン閾値とを比較して警告やシャットダウン処理を行うかどうかを判定する。
【００４０】
表示部記録部３６は、表示部６０側の各モードや各入力電圧における消費電流値を記録する。表示部駆動時間算出部３７は、表示部残量検知部３０で算出した表示部バッテリ２９の電池残量と、表示部記録部３６から読み出した現在の入力電圧や動作モードにおける消費電流値から表示部６０の駆動可能時間を算出する。表示部ＣＬＫ上限変更部４１は、表示部６０の消費電力を変更する。
【００４１】
次に、上記構成の撮像装置の基本的動作について説明する。
【００４２】
装置本体５０及び表示部６０に、それぞれ本体バッテリ８及び表示部バッテリ２９が挿入されると、本体ＣＰＵ５及び表示部ＣＰＵ２７は、自動的にスタンバイ状態で待機状態となる。
【００４３】
この状態で、ユーザが装置本体５０の本体操作部１５に配置された電源ボタンをＯＮ操作すると、撮影モードでの起動となる。この電源ボタンのＯＮ操作により、本体ＣＰＵ５は、スタンバイ状態から通常状態へ復帰を開始する。
【００４４】
通常状態への復帰後、本体ＣＰＵ５は、メカ制御部２および撮像制御部４の初期化を行い、メカ制御部２は、光学系１のレンズ群を駆動して各レンズを初期位置に移動させる。また、本体ＣＰＵ５は、本体電源部７を制御して撮像電源の起動を行い、撮像制御部４は、撮像素子３の駆動および撮像データの取り込みを開始して撮影可能状態へ遷移する。
【００４５】
一方、本体ＣＰＵ５が動作を開始すると同時に、表示部ＣＰＵ２も起動する。表示部ＣＰＵ２７が起動すると、表示部電源部２８を起動後、液晶駆動部２４やＡＶ処理部２０を初期化し、液晶パネル２１への表示や操作音や効果音の再生を開始する。
【００４６】
撮像制御部４が取り込んだ撮像素子３からの出力データは、本体ＣＰＵ５を介して表示部ＣＰＵ２７へ送信され、表示部ＣＰＵ２７は、受信したデータを液晶駆動部２４へ送信する。液晶駆動部２４は、このデータを液晶パネル２１で表示可能な駆動信号に変換し、スルー画として液晶パネル２１に表示する。
【００４７】
ユーザがズームや絞りなどの鏡筒操作を行うと、本体ＣＰＵ５は、メカ制御部２に指示を送り、メカ制御部２は、その指示に従い光学系１の各モータを駆動する。ユーザがレリーズボタンを押下すると、目標露出量からシャッター時間、絞り、ＩＳＯ感度などが決定され、それらの撮影条件にしたがって撮像制御部４、メカ制御部２が制御される。
【００４８】
撮像制御部４によって取り込まれた撮像素子３からの出力データは、本体ＣＰＵ５で各種補正処理および圧縮処理を施され、表示部ＣＰＵ２７へと送信される。
【００４９】
表示部ＣＰＵ２７は、受信したデータを記録部１７に書き込むとともに、液晶駆動部２４を介して液晶パネル２１にプレビュー画を表示し、一定時間後スルー画表示に戻り、ユーザの操作待ち状態となる。
【００５０】
撮影モードで装置本体５０の本体操作部１５に配置された電源ボタンが再度押下されると、シャットダウンモードに遷移する。本体ＣＰＵ５は、撮像系電源および撮像制御部４を停止し、メカ制御部２を制御して鏡筒を沈胴させる。
【００５１】
表示部ＣＰＵ２７は、液晶駆動部２４、ＡＶ処理部２０を停止する。全てのデバイスの終了処理が完了すると、本体ＣＰＵ５及び表示部ＣＰＵ２７は、スタンバイ状態に遷移し、次の起動に備える。
【００５２】
なお、本体ＣＰＵ５から表示部ＣＰＵ２７へ送信する情報としては、撮像データおよび表示部電源部２８の起動・停止制御信号、本体バッテリ８の電池残量情報等があり、表示部ＣＰＵ２７から本体ＣＰＵ５へ送信する情報としては、表示部操作情報等がある。
【００５３】
ユーザが表示部６０の表示部操作部２５に配置された再生ボタンをＯＮ操作すると、再生モードでの起動となる。再生ボタンをＯＮ操作すると、表示部ＣＰＵ２７は、スタンバイ状態から通常状態へ復帰を開始する。
【００５４】
表示部ＣＰＵ２７が起動すると、液晶駆動部２４およびＡＶ処理部２０の初期化を行うとともに、記録部１７からのデータ読み出しを開始し、液晶駆動部２４を介して液晶パネル２１に再生画を表示する。
【００５５】
再生モードは、表示部６０のみで動作可能であるため、装置本体５０側は起動しない。再生モード時は、再度再生ボタンを押下するか、装置本体５０側の電源ボタンを押下すると、シャットダウンモードに遷移し、表示部ＣＰＵ２７は、液晶駆動部２４およびＡＶ処理部２０の終了処理を行い、スタンバイモードに遷移する。
【００５６】
再生モードでの起動状態で表示部６０の表示部操作部２５に配置されたレリーズボタンを半押しすると、表示部ＣＰＵ２７は、撮影モードに遷移する。表示部６０側でのレリーズボタンの半押し操作の操作情報が、有線接続または非接触通信ドライバ１３を介して本体ＣＰＵ５に送信されると、本体ＣＰＵ５は、スタンバイ状態からの復帰を行う。
【００５７】
本体ＣＰＵ５の復帰後は、撮影モードの起動時と同様に、本体ＣＰＵ５は、メカ制御部２、撮像制御部４を起動して撮影可能状態に遷移する。
【００５８】
撮影モードでの起動状態で表示部６０の表示部操作部２５に配置された再生ボタンが押下されると、本体ＣＰＵ５は、簡易再生モードに遷移する。
【００５９】
これは、通常の再生モードと異なり、鏡筒を繰り出した状態で再生を行うモードであり、本体ＣＰＵ５は、節電のため本体電源部７を制御して撮像電源を停止し、撮像制御部４および撮像素子３の動作を停止する。
【００６０】
一方で、表示部ＣＰＵ２７は、記録部１７から記録データを読み出し、液晶駆動部２４を介して液晶パネル２１に再生画を表示する。
【００６１】
この状態で再度再生ボタンが押下されるか、レリーズボタン半押しされると、再度撮影モードに遷移する。本体ＣＰＵ５は、本体電源部７を制御して撮像電源を起動し、表示部ＣＰＵ２７、液晶駆動部２４を介してスルー画を液晶パネル２１に表示し、撮影可能状態でユーザの操作待ちとなる。
【００６２】
次に、図３及び図４を参照して、本実施形態の撮像装置の表示部６０及び装置本体５０における本発明の特徴部分の動作例について説明する。
【００６３】
まず、説明の便宜上、図３を参照して、表示部６０側の動作例から説明すると、ステップＳ２０８では、表示部シャットダウン判定部３２は、表示部シャットダウン閾値保持部３１から表示部シャットダウン閾値Ｖｔｈ２を読み出し、ステップＳ２０９に進む。
【００６４】
ステップＳ２０９では、表示部残量検知部３０は、表示部バッテリ２９の電圧値Ｖ２［Ｖ］を計測し、電池特性カーブと表示部シャットダウン閾値Ｖｔｈ２から表示部バッテリ２９の推定残量Ｘ２［Ａ・ｈ］を算出し、ステップＳ２１０に進む。
【００６５】
ステップＳ２１０では、表示部シャットダウン判定部３２は、表示部バッテリ２９の電圧値Ｖ２が表示部シャットダウン閾値Ｖｔｈ２か否かを判断する。
【００６６】
そして、表示部シャットダウン判定部３２は、表示部バッテリ２９の電圧値Ｖ２が表示部シャットダウン閾値Ｖｔｈ２未満である場合は、ステップＳ２１１に進み、表示部６０の電源をシャットダウンする。
【００６７】
一方、表示部シャットダウン判定部３２は、表示部バッテリ２９の電圧値Ｖ２が表示部シャットダウン閾値Ｖｔｈ２以上である場合は、ステップＳ２１２に進む。
【００６８】
ステップＳ２１２では、表示部駆動時間算出部３７は、現在の表示部動作モードＭ２を確認し、ステップＳ２１３に進む。
【００６９】
ステップＳ２１３では、表示部駆動時間算出部３７は、消費電流値Ｐ２（Ｖ２、Ｍ２）［Ａ］を表示部記録部３６から読み出し、ステップＳ２１４に進む。
【００７０】
ステップＳ２１４では、表示部駆動時間算出部３７は、ステップＳ２０９で算出した推定残量Ｘ２とステップＳ２１３で読み出した消費電流値Ｐ２とから表示部６０の推定駆動可能時間Ｔ２［ｈ］＝Ｐ２（Ｖ２、Ｍ２）／Ｘ２を算出し、ステップＳ２１５に進む。
【００７１】
ステップＳ２１５では、表示部ＣＰＵ２７は、ステップＳ２１４で算出した表示部６０の推定駆動可能時間Ｔ２のデータを、表示部６０の装着時は有線接続、離脱時は非接触通信ドライバ１３を介して装置本体５０の本体ＣＰＵ５に送信し、処理を終了する。
【００７２】
次に、図４を参照して、装置本体５０側の動作例を説明すると、ステップＳ２０１では、本体シャットダウン判定部１１は、本体シャットダウン閾値保持部１０から本体シャットダウン閾値Ｖｔｈ１を読み出し、ステップＳ２０２に進む。
【００７３】
ステップＳ２０２では、本体残量検知部９は、本体バッテリ８の電圧値Ｖ１［Ｖ］を計測し、電池特性カーブと本体シャットダウン閾値Ｖｔｈ１から本体バッテリ８の推定残量Ｘ１［Ａ・ｈ］を算出し、ステップＳ２０３に進む。
【００７４】
ステップＳ２０３では、本体シャットダウン判定部１１は、本体バッテリ８の電圧値Ｖ１Ｖ１が本体シャットダウン閾値Ｖｔｈ１未満か否かを判断する。
【００７５】
そして、本体シャットダウン判定部１１は、本体バッテリ８の電圧値Ｖ１が本体シャットダウン閾値Ｖｔｈ１未満である場合は、ステップＳ２０４に進み、装置本体５０の電源をシャットダウンし、処理を終了する。
【００７６】
一方、本体シャットダウン判定部１１は、本体バッテリ８の電圧値Ｖ１が本体シャットダウン閾値Ｖｔｈ１以上である場合は、ステップＳ２０５に進む。
【００７７】
ステップＳ２０５では、本体駆動時間算出部３５は、現在の本体動作モードＭ１を確認し、ステップＳ２０６に進む。
【００７８】
ステップＳ２０６では、本体駆動時間算出部３５は、消費電流値Ｐ１（Ｖ１、Ｍ１）［Ａ］を本体記録部３４から読み出し、ステップＳ２０７に進む。
【００７９】
ステップＳ２０７では、本体駆動時間算出部３５は、ステップＳ２０２で算出した推定残量Ｘ１とステップＳ２０６で読み出した消費電流値Ｐから装置本体５０の推定駆動可能時間Ｔ１［ｈ］＝Ｐ１（Ｖ１、Ｍ１）／Ｘ１を算出し、ステップＳ２０８に進む。
【００８０】
ステップＳ２０８では、駆動時間比較部３８は、ステップＳ２０７で算出した装置本体５０の推定駆動可能時間Ｔ１と図３のステップＳ２１４で表示部６０から送信された表示部６０の推定駆動可能時間Ｔ２との差ΔＴの絶対値｜ΔＴ｜＝｜Ｔ１−Ｔ２｜を算出する。
【００８１】
そして、駆動時間比較部３８は、算出した絶対値｜ΔＴ｜が、あらかじめ定められた閾値Ｔｔｈ以上か否かを判断し、閾値以上であれば、ステップＳ２１７に進み、閾値Ｔｔｈ未満であれば、ステップＳ２０１に戻る。
【００８２】
ステップＳ２１７では、バッテリ残量補正を行うべく、駆動時間比較部３８は、ΔＴの符号を算出し、ΔＴが０を超えているか、ΔＴが０未満かを判断し、ΔＴが０を超えている場合は、ステップＳ２１８に進み、ΔＴが０未満の場合は、ステップＳ２２０に進む。
【００８３】
ステップＳ２１８では、表示部バッテリ２９が本体バッテリ８よりも先に残量がなくなるため、残量制御部３９は、本体ＣＰＵ５に対して、ΔＴが０になるように、装置本体５０の高性能動作の指示を送り、ステップＳ２１９に進む。
【００８４】
ステップＳ２１９では、残量制御部３９は、表示部ＣＰＵ２７に対して、ΔＴが０になるように、表示部６０の節電動作の指示を送り、ステップＳ２０１に戻る。なお、ステップＳ２１８及びステップＳ２１９の処理は、少なくとも一方の処理を行うようにしてもよい。
【００８５】
一方、ステップＳ２２０では、本体バッテリ８が表示部バッテリ２９よりも先に残量がなくなるため、残量制御部３９は、本体ＣＰＵ５に対して、ΔＴが０になるように、装置本体５０の節電動作の指示を送り、ステップＳ２２１に進む。
【００８６】
ステップＳ２２１では、残量制御部３９は、表示部ＣＰＵ２７に対して、ΔＴが０になるように、表示部６０の高性能動作の指示を送り、ステップＳ２０１に戻る。なお、ステップＳ２２０及びステップＳ２２１の処理は、少なくとも一方の処理を行うようにしてもよい。
【００８７】
図５は、装置本体５０の節電／高性能動作及び表示部６０の節電／高性能動作の一例を説明するための図である。
【００８８】
装置本体５０の節電動作としては、本体ＣＰＵ５の駆動ＣＬＫ（駆動クロック信号）上限の設定、撮像制御部４による撮像素子３の駆動ＣＬＫの上限の設定が挙げられる。
【００８９】
本体ＣＰＵ５の駆動ＣＬＫ上限設定は、本体ＣＰＵ５内部の駆動ＣＬＫの周波数に上限を設けて処理速度を抑えることで、本体ＣＰＵ５の消費電力を抑制する。
【００９０】
同様に、撮像制御部４による撮像素子３の駆動ＣＬＫの上限設定は、撮像素子３を駆動する基本ＣＬＫの周波数に上限を設けて撮像素子３内の電荷の転送速度を抑えることで、撮像素子３の消費電力を抑制する。
【００９１】
装置本体５０の高性能動作としては、本体ＣＰＵ５の駆動ＣＬＫ上限の解除、撮像素子３の駆動ＣＬＫの上限の解除が挙げられる。
【００９２】
ここでの動作は、前述の節電動作の逆であり、消費電力の増加を許容して処理速度を上げることを優先する動作となる。これらの駆動ＣＬＫの上限変更動作は、残量制御部３９が本体ＣＬＫ上限変更部４０を制御することで実現される。
【００９３】
一方、表示部６０の節電動作としては、表示部ＣＰＵ２７の駆動ＣＬＫ上限の設定、およびバックライト２２の輝度抑制が挙げられる。
【００９４】
表示部ＣＰＵ２７の駆動ＣＬＫ上限の設定は、上述した本体ＣＰＵ５のそれと同様の動作である。バックライト２２の輝度抑制は、表示部６０のバックライト２２の輝度をあらかじめ定められた節電用設定まで抑制することでバックライト２２の消費電力を抑制する。
【００９５】
表示部６０の高性能動作としては、節電動作の逆であり、消費電力の増加を許容して処理速度および液晶パネル２１の視認性を優先する動作となる。
【００９６】
表示部ＣＰＵ２７の駆動ＣＬＫの上限変更動作は、残量制御部３９が有線接続又は無線接続による通信により表示部ＣＬＫ上限変更部４１を制御することで実現される。同様に、バックライト２２の輝度変更は、残量制御部３９が有線接続又は無線接続による通信により調光部２３を制御することで実現される。
【００９７】
以上説明したように、本実施形態では、装置本体５０のバッテリ８及び表示部６０のバッテリ２９の充電サイクルの差を小さくすることができる。これにより、装置本体５０のバッテリ８及び表示部６０のバッテリ２９の寿命に悪影響を及ぼすことなく、充電回数を少なくして撮像装置を使用できない時間を削減することができ、使い勝手がよい撮像装置を提供することができる。
【００９８】
（第２の実施形態）
次に、図６〜図９を参照して、本発明の第２の実施形態である撮像装置について説明する。図６は本発明の第２の実施形態である撮像装置を説明するためのブロック図、図７は図６に示す撮像装置の装置本体から表示部が離脱した状態を示すブロック図である。なお、上記第１の実施形態に対して重複又は相当する部分については、各図に同一符号を付してその説明を省略する。
【００９９】
本実施形態の撮像装置は、図６及び図７に示すように、表示部６０に、表示部シャットダウン閾値保持部３１から読み出した表示部シャットダウン閾値を補正する補正部４２が追加されている点が上記第１の実施形態と異なる。
【０１００】
次に、図８及び図９を参照して、本実施形態の撮像装置の表示部６０及び装置本体５０における本発明の特徴部分の動作例について説明する。
【０１０１】
まず、説明の便宜上、図８を参照して、表示部６０側の動作例から説明すると、ステップ５００では、表示部ＣＰＵ２７は、本体ＣＰＵ５による離脱検出手段１４の確認情報に基づいて装置本体５０から表示部６０が離脱されたか否かを判断する。
【０１０２】
そして、表示部ＣＰＵ２７は、装置本体５０から表示部６０が離脱されたと判断した場合は、ステップＳ５２９に進み、装置本体５０に表示部６０が装着されていると判断した場合は、ステップＳ５０８に進む。
【０１０３】
なお、ステップＳ５０８〜ステップＳ５１５の処理は、図３のステップＳ２０８〜ステップＳ２１５の処理と同様であるので、その説明を省略する。
【０１０４】
ステップＳ５２９では、表示部シャットダウン判定部３２は、表示部シャットダウン閾値保持部３１から表示部シャットダウン閾値Ｖｔｈ２を読み出し、ステップＳ５３０に進む。
【０１０５】
ステップＳ５３０では、補正部４２は、あらかじめ定められた補正電圧値ΔＶを用いて、Ｖｔｈ２′＝Ｖｔｈ２＋ΔＶとして、表示部シャットダウン閾値Ｖｔｈ２をＶｔｈ２′に補正し、ステップＳ５３１に進む。
【０１０６】
ステップＳ５３１では、表示部残量検知部３０は、表示部バッテリ２９の電圧値Ｖ２［Ｖ］を計測し、電池特性カーブと補正後の表示部シャットダウン閾値Ｖｔｈ２′とから表示部バッテリ２９の推定残量Ｘ２′［Ａ・ｈ］を算出し、ステップＳ５３２に進む。
【０１０７】
ステップＳ５３２では、表示部シャットダウン判定部３２は、表示部バッテリ２９の電圧値Ｖ２が補正後の表示部シャットダウン閾値Ｖｔｈ２′未満か否かを判断する。
【０１０８】
そして、表示部シャットダウン判定部３２は、表示部バッテリ２９の電圧値Ｖ２が補正後の表示部シャットダウン閾値Ｖｔｈ２′未満である場合は、ステップＳ５３３に進み、表示部６０の電源をシャットダウンする。
【０１０９】
一方、表示部シャットダウン判定部３２は、表示部バッテリ２９の電圧値Ｖ２が補正後の表示部シャットダウン閾値Ｖｔｈ２′以上である場合は、ステップＳ５３４に進む。
【０１１０】
ステップＳ５３４では、表示部駆動時間算出部３７は、現在の表示部動作モードＭ２を確認し、ステップＳ５３５に進む。
【０１１１】
ステップＳ５３５では、表示部駆動時間算出部３７は、消費電流値Ｐ２（Ｖ２、Ｍ２）［Ａ］を表示部記録部３６から読み出し、ステップＳ５３６に進む。
【０１１２】
ステップＳ５３６では、表示部駆動時間算出部３７は、ステップＳ５３１で算出した推定残量Ｘ２′とステップＳ５３５で読み出した消費電流値Ｐとから表示部６０の推定駆動可能時間Ｔ２′［ｈ］＝Ｐ２（Ｖ２、Ｍ２）／Ｘ２′を算出し、ステップＳ５３７に進む。
【０１１３】
ここでの表示部６０の推定駆動可能時間Ｔ２′は、表示部６０の装着時の推定駆動可能時間Ｔ２に対して、表示部シャットダウン閾値Ｖｔｈ２に補正電圧値ΔＶを加算した分だけ短縮される。
【０１１４】
ステップＳ５３７では、表示部ＣＰＵ２７は、表示部６０の推定駆動可能時間Ｔ２′のデータを非接触通信ドライバ１３を介して装置本体５０の本体ＣＰＵ５に送信し、処理を終了する。
【０１１５】
次に、図９を参照して、装置本体５０側の動作例について説明すると、ステップＳ５００では、本体ＣＰＵ５は、離脱検出手段１４の状態を確認し、装置本体５０から表示部６０が離脱されたか否かを判断する。
【０１１６】
そして、本体ＣＰＵ５は、装置本体５０から表示部６０が離脱されたと判断した場合は、ステップＳ５２２に進み、装置本体５０に表示部６０が装着されていると判断した場合は、ステップＳ５０１に進む。
【０１１７】
なお、ステップＳ５０１〜ステップＳ５２１の処理は、図４のステップＳ２０１〜ステップＳ２２１の処理と同様であるので、その説明を省略する。
【０１１８】
また、ステップＳ５２２〜ステップＳ５２８の処理についても、図４のステップＳ２０１〜ステップＳ２０７と同様であるので、その説明を省略する。
【０１１９】
ステップＳ５３８では、駆動時間比較部３８は、ステップＳ５２８で算出した装置本体５０の推定駆動可能時間Ｔ１と図８のステップＳ５３７で表示部６０から送信された表示部６０の推定駆動可能時間Ｔ２′との差ΔＴの絶対値｜ΔＴ｜＝｜Ｔ１−Ｔ２′｜を算出する。
【０１２０】
そして、駆動時間比較部３８は、算出した絶対値｜ΔＴ｜が、あらかじめ定められた閾値Ｔｔｈ以上か否かを判断し、閾値以上であれば、ステップＳ５３９に進み、閾値Ｔｔｈ未満であれば、ステップＳ５００に戻る。
【０１２１】
ステップＳ５３９では、バッテリ残量補正を行うべく、駆動時間比較部３８は、ΔＴの符号を算出し、ΔＴが０を超えているか、ΔＴが０未満かを判断し、ΔＴが０を超えている場合は、ステップＳ５４０に進み、ΔＴが０未満の場合は、ステップＳ５４２に進む。
【０１２２】
ステップＳ５４０では、表示部バッテリ２９が本体バッテリ８よりも先に残量がなくなるため、残量制御部３９は、本体ＣＰＵ５に対して、ΔＴが０になるように、装置本体５０の高性能動作の指示を送り、ステップＳ５４１に進む。
【０１２３】
ステップＳ５４１では、残量制御部３９は、表示部ＣＰＵ２７に対して、ΔＴが０になるように、表示部６０の節電動作の指示を送り、ステップＳ５００に戻る。なお、ステップＳ５４０及びステップＳ５４１の処理は、少なくとも一方の処理を行うようにしてもよい。
【０１２４】
一方、ステップＳ５４２では、本体バッテリ８が表示部バッテリ２９よりも先に残量がなくなるため、残量制御部３９は、本体ＣＰＵ５に対して、ΔＴが０になるように、装置本体５０の節電動作の指示を送り、ステップＳ５４３に進む。
【０１２５】
ステップＳ５４３では、残量制御部３９は、表示部ＣＰＵ２７に対して、ΔＴが０になるように、表示部６０の高性能動作の指示を送り、ステップＳ５００に戻る。なお、ステップＳ５４２及びステップＳ５４３の処理は、少なくとも一方の処理を行うようにしてもよい。また、装置本体５０の節電／高性能動作及び表示部６０の節電／高性能動作は、図５で説明した内容と同様である。
【０１２６】
以上説明したように、本実施形態では、装置本体５０から表示部６０が離脱した状態では、表示部６０のバッテリ２９の残量に補正電圧値Ｖに応じた分の余力を残すことができる。これにより、装置本体５０から離脱したままで表示部６０のバッテリ２９を消費した場合でも、装置本体５０に表示部６０を装着して接続すれば動作が可能となるので、使い勝手のよい撮像装置を提供することができる。その他の構成及び作用効果は、上記第１の実施形態と同様である。
【０１２７】
なお、本発明は、上記各実施形態に例示したものに限定されるものではなく、本発明の要旨を逸脱しない範囲において適宜変更可能である。
【０１２８】
例えば、上記各実施形態では、表示パネル用の発光デバイスとしてバックライト２２を用いたが、有機ＥＬなどに代表される自発光デバイスでも同様の輝度制御を適用可能である。
【０１２９】
また、図４のステップＳ２１８〜ステップＳ２２１等の高性能動作／節電動作において、それぞれの動作をＣＰＵに指示する際に、ΔＴが０に近づくように制御することも可能である。
【符号の説明】
【０１３０】
１      光学系
２      メカ制御部
３      撮像素子
４      撮像制御部
５      本体ＣＰＵ
６      発光部
７      本体電源部
８      本体バッテリ
９      本体残量検知部
１０    本体シャットダウン閾値保持部
１１    本体シャットダウン判定部
１２    本体ＬＥＤ
１３    非接触通信ドライバ
１４    離脱検出手段
１５    本体操作部
１６    光学ファインダ
１７    記録部
１８    スピーカ
１９    マイク
２０    ＡＶ処理部
２１    液晶パネル
２２    バックライト
２３    調光部
２４    液晶駆動部
２５    表示部操作部
２６    表示部ＬＥＤ
２７    表示部ＣＰＵ
２８    表示部電源部
２９    表示部バッテリ
３０    表示部残量検知部
３１    表示部シャットダウン閾値値保持部
３２    表示部シャットダウン判定部
３３    嵌合部
３４    本体記録部
３５    本体駆動時間算出部
３６    表示部記録部
３７    表示部駆動時間算出部
３８    駆動時間比較部
３９    残量制御部
４０    本体ＣＬＫ上限変更部
４１    表示部ＣＬＫ上限変更部
４２    補正部
５０    装置本体
６０    表示部
【図１】
2010226237.tif 000003
【図２】
2010226237.tif 000004
【図３】
2010226237.tif 000005
【図４】
2010226237.tif 000006
【図５】
2010226237.tif 000007
【図６】
2010226237.tif 000008
【図７】
2010226237.tif 000009
【図８】
2010226237.tif 000010
【図９】
2010226237.tif 000011